(57)【要約】【課題】  カラオケの楽曲予約において、予約後に演奏パラメータの変更をしたい。【解決手段】  カラオケの選曲入力手段により、所望する演奏パラメータセットを選択して前記カラオケ装置に転送し、カラオケ装置にカラオケ楽曲の演奏予約を行う際に、当該演奏予約に歌唱者が所望する演奏パラメータセットに関する情報を付加し、前記カラオケ装置が当該楽曲を再生する際に、当該演奏パラメータを適用することができるカラオケシステムにおいて、歌唱予約後、歌唱開始前に後発的に当該パラメータを変更する。【選択図】図１
2019179126.tif 000002
【特許請求の範囲】
【請求項１】
カラオケ演奏をカラオケ装置が管理するセッション単位で行い、利用者は会員アカウントを設定することが可能なカラオケシステムであって、
同一セッション内に複数のユーザを許容し、
複数のリモコン端末とペアリングが可能であり、
複数のユーザが同一のリモコン端末を使用でき、
各ユーザが会員アカウントにログインでき、
カラオケ演奏音量、マイク音量などの一または複数の演奏パラメータを設定してカラオ
ケ装置で楽曲を再生可能であり、
前記カラオケ装置にカラオケ楽曲の演奏予約を行う際に、当該演奏予約に利用者が所望する演奏パラメータに関する情報を付加し、前記カラオケ装置が当該楽曲を再生する際に、当該演奏パラメータを適用することができ、
演奏予約後演奏開始前に、設定された一または複数の前記演奏パラメータの一部または全部が変更できるカラオケシステムにおいて、
演奏予約後、演奏開始前に設定された一または複数の前記演奏パラメータの変更の可否及び変更可能範囲が「ユーザ」「リモコン端末」「会員」で制御できることを特徴とするカラオケシステム。
【発明の詳細な説明】
【技術分野】
【０００１】
本発明は、リモコン端末装置から選曲予約が可能な機能を備えたカラオケ装置に関するものである。
【背景技術】
【０００２】
一般的なカラオケ装置は、利用者のリクエスト曲を受け付けると演奏の予約を待ち行列
で管理し、その順に取り出してカラオケ演奏する。
【０００３】
一方、カラオケ演奏においては、音量やエコーなどの各種パラメータがあり、歌唱者が歌唱の度に自分に合った設定に変えるのが一般的である。
【０００４】
しかしながら、上記パラメータはカラオケ機器における設定になっており、一方カラオケの歌唱は予約順であり、自分が歌唱を開始する時は前の歌唱者のパラメータ設定が有効になっているのが常である。
【０００５】
そこで、楽曲の歌唱予約時に楽曲の付加情報としてパラメータの設定も併せて行う提案がされている。
【先行技術文献】
【特許文献】
【０００６】
【特許文献１】特開２０１０−２５６４２５号公報
【特許文献２】特許３８４３２３６号公報
【特許文献３】特開２００６−０４８０７６号公報
【発明の概要】
【発明が解決しようとする課題】
【０００７】
特許文献１は、利用者がその演奏キーのことをとくに意識しなくても、歌う前のリクエスト段階で演奏キーを非常に単純な操作に基づいて的確に行わせるカラオケシステムの提供である。
【０００８】
特許文献２は、歌唱キーの変更に関し、演奏予約時や楽曲演奏の直前など不安定な心理状態にないとき、すなわち、自分の歌う順番を待っている冷静なときにキー変更値の設定操作を受け付けられるようにしたものである。
【０００９】
特許文献３は、演奏するカラオケ曲を選択する選曲操作部および演奏の中止を指示する演奏中止操作部を備えたカラオケ装置本体の操作パネルと、選曲操作部および演奏中止操作部を備えたリモコン装置５と、選曲操作部で選択されたカラオケ曲を演奏するとともに、カラオケ曲の演奏中に、リモコン装置の演奏中止操作部が複数回操作されたとき演奏中のカラオケ曲の演奏を中止し、操作パネルの演奏中止操作部が操作された場合は１回の操作で演奏中のカラオケ曲の演奏を中止する制御手段と、を備えたカラオケ装置である。
【００１０】
特許文献１、特許文献２とも演奏キーのみの変更を対象としている。
【００１１】
特許文献３は、リモコン端末によって演奏の中止を指示するものであるが、予約したリモコンから指示があった時のみ中止が有効になるものである。
【００１２】
設定したいパラメータは楽曲に依存する歌唱キーだけでなく、音量、マイク音量、エコーなどカラオケ機器に依存するパラメータもあり、前の歌唱者の設定からカスタマイズしたいという要求がある。
【００１３】
しかしながら、パラメータは上記のように楽曲依存のものとカラオケ装置の機器設定に係るものがあり、一概に設定してしまうのは難しい。
【００１４】
そのため楽曲の歌唱予約時に楽曲と併せてパラメータを設定でき、予約後に歌唱環境や他人の歌唱を聴きながらパラメータの調整をしたいようなニーズに対応できるカラオケシステムは存在しなかった。
【００１５】
また本発明に係るカラオケシステムにおいては、１つのリモコン端末を複数の利用者で共有することもできるため、特許文献３のように、設定したパラメータの変更やキャンセルをハードウエアとしてのリモコン端末によって受け付け可否を決定するのみでは不十分である。
【課題を解決するための手段】
【００１６】
そこで、本発明の請求項１は、
カラオケ演奏をカラオケ装置が管理するセッション単位で行い、利用者は会員アカウントを設定することが可能なカラオケシステムであって、
同一セッション内に複数のユーザを許容し、
複数のリモコン端末とペアリングが可能であり、
複数のユーザが同一のリモコン端末を使用でき、
各ユーザが会員アカウントにログインでき、
カラオケ演奏音量、マイク音量などの一または複数の演奏パラメータを設定してカラオ
ケ装置で楽曲を再生可能であり、
前記カラオケ装置にカラオケ楽曲の演奏予約を行う際に、当該演奏予約に利用者が所望する演奏パラメータに関する情報を付加し、前記カラオケ装置が当該楽曲を再生する際に、当該演奏パラメータを適用することができ、
演奏予約後、演奏開始前に設定された一または複数の前記演奏パラメータの一部または全部が変更できるカラオケシステムにおいて、
演奏予約後演奏開始前に、設定された一または複数の前記演奏パラメータの変更の可否及び変更可能範囲が「ユーザ」「リモコン端末」「会員」の組合せで制御できることを特徴とするカラオケシステムである。
【発明の効果】
【００１７】
本発明によると、カラオケ利用者は歌唱予約したあとでも他の歌唱者が演奏パラメータをどのように変更しようとも、当該予約曲を歌唱する際の音量、歌唱キー、エコーなどの演奏パラメータを所望のものにいつでも設定・変更できる。
【図面の簡単な説明】
【００１８】
【図１】パラメータ設定画面の例。
【図２】パラメータ設定画面の例。
【図３】接続イメージの例
【発明を実施するための形態】
【００１９】
カラオケの演奏パラメータには、スピーカ音量、マイク音量、音質、エコーのようなどちらかといえばカラオケ装置の設定にかかわるパラメータと、歌唱キー、テンポのようなどちらかといえば楽曲の設定にかかわるパラメータ、どちらにも含まれる可能性がある、画面表示、採点の有無のようなパラメータがある。
【００２０】
歌唱キーやテンポはその楽曲によって異なるものであり、曲が替わるともはや意味をなさないものである。一方、マイクやスピーカの音量などは楽曲とはあまり関係なくむしろ再生環境に依存して設定するものである。
また、画面表示、採点の有無などは上記どちらにも属する可能性があり、機器として設定しておきたい場合もあれば、「この曲ではこうしたい」というように楽曲依存で設定したい場合もある。
【００２１】
楽曲に固有のパラメータは、パラメータの予約機能がない場合、楽曲開始前に個々に変更する必要があった。実際には当該楽曲が開始された直後からでないと、パラメータの変更が有効にならないため、カラオケ機器が楽曲を再生しはじめてから、音が出始めるまでの非常に短い時間の中でパラメータの変更を行うことになる。これから曲を歌おうと集中力を高めたいタイミングに大変煩わしい作業を行わなければならず、慌てた結果、所望しているパラメータと異なる状態で歌唱を開始するといった事態にも多々遭遇することになる。仮に、パラメータの予約機能があった場合でも、予約後の変更ができない場合には、予約後に所望のパラメータに設定していないことに気づいても、同様の事態に陥ることになる。
【００２２】
一方、カラオケ装置に固有のパラメータは、演奏中も含め随時変更することができることが一般的である。しかし、予約時には他の歌唱者が歌唱中であることが考えられ、その段階で所望の演奏パラメータに変更することは適切な行為とは言えない。当然のことながら現在の歌唱者の好みのパラメータに設定されている状態であるため、結局は自分の歌唱順が回ってきてから、所望の演奏パラメータに設定していくことになる。伴奏の音量、マイクの音量、エコーのレベルなど設定するべき内容は多岐にわたり、結局は楽曲依存パラメータの設定と同様、歌唱直前にあわただしく設定をすることになる。
【００２３】
本発明はこのようなケースを鑑みてなされたものであり、利用者は楽曲の歌唱予約の際、当該楽曲予約に付随して図１、図２のような画面で、楽曲依存のみならず元来環境依存型のものを含めた多岐にわたる演奏パラメータを設定することができる。さらにこれらの楽曲予約に付加したパラメータを歌唱予約後であっても予約した利用者に限って変更できるというものである。
【００２４】
さらに上記「予約した利用者」であるか否かの判断には、ログインされたアカウントを使用するというというものである。
【００２５】
これにより、リモコン端末を複数の利用者で共有する場合であっても、予約した利用者以外からの設定変更を防ぐことができる。
【００２６】
図３は、本発明の実施例である。
カラオケ端末装置１は複数のリモコン端末２１〜２３（多機能携帯端末）とペアリングされている。
また１つのリモコン端末は複数の利用者で使用することができる。（図３参照）
利用者３１は、リモコン端末２１でＵＳＥＲ１として使用しているとともに、リモコン端末２２のＵＳＥＲ３としても使用している。
利用者３２はリモコン端末２１でＵＳＥＲ６として使用している。
利用者３３はリモコン端末２２でＵＳＥＲ２として使用している。
利用者３４はリモコン端末２２でＵＳＥＲ５として使用するとともに、リモコン端末２３でＵＳＥＲ４としても使用している。
また、利用者３１はＵＳＥＲ１とＵＳＥＲ３にアカウントＡとしてログインしている。
このとき、利用者３１は、リモコン端末装置２１と、リモコン端末２２でアカウントＡで利用することができる。
一方、利用者３４はリモコン端末２２のＵＳＥＲ５ではアカウントＢとしてログインしているが、リモコン端末２３のＵＳＥＲ４ではログインしていない。
このとき利用者３４は、リモコン端末２２ではアカウントＢとして利用することができるが、リモコン端末２３ではログインしていないため、アカウントＢとして使用することはできない。
【００２７】
図３において具体的なイメージを下記に示す。
原則として、予約したユーザと同一ユーザであれば、変更することは可能である。
また、同一ユーザでなくても、ログインアカウントが同一であれば、変更可能である。
ここで、リモコン２１は利用者３１の個人用スマホ、リモコン２２はカラオケ店舗が貸与するタブレット端末、リモコン２３は利用者３４の個人用スマホであるような場合を想定している。
【００２８】
例えば、アカウントの無いＵＳＥＲ６とＵＳＥＲ４において、ＵＳＥＲ６で設定した予約をＵＳＥＲ４で変更することはできず、逆も同様である。（異なるユーザ、異なるリモコン）
また、使用するリモコン端末が同一のＵＳＥＲ６とＵＳＥＲ１であっても同様に変更できない。（同一リモコン、異なるユーザ）
一方、リモコン端末が異なるが同一のユーザアカウントＡでログインしているＵＳＥＲ１とＵＳＥＲ３は、それぞれが設定した予約を相互に変更できる。（異なるユーザ、同一アカウント）
また、双方とも同一利用者３４が使用するユーザであってもアカウントＢでログインしているＵＳＥＲ５とログインしていないＵＳＥＲ４では相互に変更できない。なぜなら、システムからは同一利用者であることが認識できないからである。
【００２９】
また、上記の延長として、同一利用者が同一端末内で同一アカウントでは複数ログインできないなどの仕様としてもよい。
【図１】
2019179126.tif 000003
【図２】
2019179126.tif 000004
【図３】
2019179126.tif 000005